(57)【要約】揮発性組成物ディスペンサと、揮発性組成物を分注する方法とが提供される。この揮発性組成物ディスペンサは、揮発性組成物を収容するためのリザーバと、第１の端部及び反対側の第２の端部を有する輸送部材と、蒸発性表面とを含む。輸送部材の第１の端部は、リザーバに流体連通しており、輸送部材の第２の端部は、蒸発性表面に流体連通している。揮発性組成物ディスペンサは更に、リザーバに気体連通している空気ポンプを含む。【特許請求の範囲】
【請求項１】
揮発性組成物を収容するリザーバであって、該リザーバが、空気入口と、該空気入口から離間している液体出口とを有する、リザーバと、
第１の端部及び反対側の第２の端部を有する輸送部材であって、該第１の端部が該リザーバに液体連通しており、かつ該第２の端部が該液体出口を通って延在する、輸送部材と、
該輸送部材の該第２の端部に対して近位側に配置される蒸発性表面と、
該リザーバの該空気入口に気体連通している空気ポンプと、
を含む、揮発性組成物ディスペンサ。
【請求項２】
前記蒸発性表面に連通しているヒータを更に含む、請求項１に記載のディスペンサ。
【請求項３】
前記蒸発性表面に隣接して配置されたファンを更に含む、請求項１又は２に記載のディスペンサ。
【請求項４】
カートリッジ及びハウジングを更に含み、該カートリッジは前記リザーバ及び輸送部材を含み、かつ、該カートリッジは該ハウジングに解除自在に連結可能である、請求項１〜３のいずれか一項に記載のディスペンサ。
【請求項５】
前記蒸発性表面が前記カートリッジに連結されている、請求項４に記載のディスペンサ。
【請求項６】
前記蒸発性表面が、金属、プラスチック、ガラス、及びこれらの組み合わせからなる群から選択される材料を含む、請求項５に記載のディスペンサ。
【請求項７】
前記蒸発性表面が空気透過性である、請求項１〜６のいずれか一項に記載のディスペンサ。
【請求項８】
前記空気ポンプに電気的に接続されているコントローラと、該空気ポンプ及びコントローラに電気的に接続されている電源とを更に含む、請求項１〜７のいずれか一項に記載のディスペンサ。
【請求項９】
前記輸送部材が、前記第２の端部に配置された制限部材を更に含む、請求項８に記載のディスペンサ。
【請求項１０】
揮発性組成物を分注する方法であって、該方法が、
カートリッジを加圧するために該カートリッジの内部に空気をポンプ圧送する工程であって、該カートリッジが揮発性組成物を収容する、工程と、
該揮発性組成物を蒸発性表面へ方向付ける工程と、
該揮発性組成物を該蒸発性表面から蒸発させる工程と、
を含む、方法。
【請求項１１】
前記蒸発性表面に隣接する前記空気を加熱する工程を更に含む、請求項１０に記載の方法。
【請求項１２】
前記蒸発性表面の上又は回りのある量の空気を方向付けて、該蒸発する揮発性組成物を該空気中に方向付ける工程を更に含む、請求項１０又は請求項１１に記載の方法。
【請求項１３】
カートリッジ内に空気をポンプ圧送する前記工程が、該カートリッジを加圧するために、前記揮発性組成物を収容する該カートリッジ内に空気を断続的にポンプ圧送する工程を含み、かつ、該揮発性組成物を蒸発性表面へ方向付ける工程が、該揮発性組成物を該蒸発性表面へ断続的に方向付ける工程を含む、請求項１０〜１２のいずれか一項に記載の方法。
【請求項１４】
カートリッジ内に空気をポンプ圧送する前記工程が、該カートリッジを空気ポンプで加圧するために該カートリッジ内に空気をポンプ圧送する工程を含み、該空気ポンプは前記揮発性組成物に接触しない、請求項１０〜１３のいずれか一項に記載の方法。
【請求項１５】
前記空気ポンプが前記カートリッジを少なくとも約５００パスカルで加圧する、請求項１０〜１４のいずれか一項に記載の方法。
【発明の詳細な説明】
【技術分野】
【０００１】
本開示は、揮発性組成物ディスペンサを目的とし、より具体的には、空気ポンプを利用する揮発性組成物ディスペンサ、及びこれを用いて揮発性組成物を蒸発性表面に送達する方法を目的とする。
【背景技術】
【０００２】
現在市場では様々な揮発性組成物ディスペンサが入手可能であり、例えば、香料組成物などの揮発性組成物を空気中に送達するための、芯、ディフューザなどを利用する、エアロゾル及びポンプ噴霧器、非電動式及び電動式のディスペンサが挙げられる。揮発性組成物を空気中に送達するために芯を使用する電動式ディスペンサは、揮発性組成物の蒸発を補助するためのヒータ又はファンを含んでもよく、壁コンセントを介して給電されてもよく、又は電池式であってもよい。このような芯ベースのディスペンサは、比較的単純な構造を提供し、消費者が操作するのが容易であり、揮発性組成物を空気中に送達するコスト効率のよい手段を提供する。しかしながら、芯ベースの揮発性組成物ディスペンサは、欠点を有することがある。例えば、香料組成物は、広範囲の揮発性を有する香料原料の混合物を含み得る。より重い、又はより揮発性の低い香料原材料は、芯に付着し、最終的に芯材が香料原材料で遮断され得る。その結果、芯ベースのディスペンサから揮発する香料組成物の特性は、経時的に変化する可能性があり、また、芯が遮断されると、流量が経時的に低下する可能性がある。
【発明の概要】
【発明が解決しようとする課題】
【０００３】
したがって、経時的に、より一貫した流量を維持する揮発性組成物ディスペンサを提供することが有益であろう。更に、経時的に、より均一な香料特性プロファイルを送達する揮発性組成物ディスペンサを提供することが、経時的に有益であろう。
【課題を解決するための手段】
【０００４】
「組み合わせ：」
Ａ．
揮発性組成物を収容するリザーバであって、リザーバが、空気入口と、空気入口から離間している液体出口とを有する、リザーバと、
第１の端部及び反対側の第２の端部を有する輸送部材であって、第１の端部がリザーバに液体連通しており、かつ第２の端部が液体出口を通って延在する、輸送部材と、
輸送部材の第２の端部に対して近位側に配置される蒸発性表面と、
リザーバの空気入口に気体連通している空気ポンプと、
を含む、揮発性組成物ディスペンサ。
Ｂ．蒸発性表面に連通しているヒータを更に含む、段落Ａに記載のディスペンサ。
Ｃ．蒸発性表面に隣接して配置されたファンを更に含む、段落Ａ〜Ｂのいずれか一項に記載のディスペンサ。
Ｄ．カートリッジ及びハウジングを更に含み、カートリッジはリザーバ及び輸送部材を含み、かつ、カートリッジはハウジングに解除自在に連結可能である、段落Ａ〜Ｃのいずれか一つに記載のディスペンサ。
Ｅ．蒸発性表面がカートリッジに連結されている、段落Ｄに記載のディスペンサ。
Ｆ．蒸発性表面が、金属、プラスチック、ガラス、及びこれらの組み合わせからなる群から選択される材料を含む、段落Ｄ又は段落Ｅに記載のディスペンサ。
Ｇ．蒸発性表面が空気透過性である、段落Ａ〜Ｆのいずれか一つに記載のディスペンサ。
Ｈ．空気ポンプに電気的に接続されているコントローラと、空気ポンプ及びコントローラに電気的に接続されている電源とを更に含む、段落Ａ〜Ｈのいずれか一つに記載のディスペンサ。
Ｉ．輸送部材が、第２の端部に配置された制限部材を更に含む、段落Ｈに記載のディスペンサ。
Ｊ．揮発性組成物を分注する方法であって、方法が、
カートリッジを加圧するためにカートリッジの内部に空気をポンプ圧送する工程であって、カートリッジが揮発性組成物を収容する、工程と、
揮発性組成物を蒸発性表面へ方向付ける工程と、
揮発性組成物を蒸発性表面から蒸発させる工程と、
を含む、方法。
Ｋ．蒸発性表面に隣接する空気を加熱する工程を更に含む、段落Ｊに記載の方法。
Ｌ．蒸発性表面の上又は回りのある量の空気を方向付けて、蒸発する揮発性組成物を空気中に方向付ける工程を更に含む、段落Ｊ又は段落Ｋに記載の方法。
Ｍ．カートリッジ内に空気をポンプ圧送する工程が、カートリッジを加圧するためにカートリッジ内に空気を断続的にポンプ圧送する工程を含み、かつ、揮発性組成物を蒸発性表面へ方向付ける工程が、揮発性組成物を蒸発性表面へ断続的に方向付ける工程を含む、段落Ｊ〜Ｌのいずれか一つに記載の方法。
Ｎ．カートリッジ内に空気をポンプ圧送する工程が、カートリッジを空気ポンプで加圧するためにカートリッジ内に空気をポンプ圧送する工程を含み、空気ポンプは揮発性組成物に接触しない、段落Ｊ〜Ｎのいずれか一つに記載の方法。
Ｏ．空気ポンプがカートリッジを少なくとも約０．５ｋＰａで加圧する、段落Ｊ〜Ｎのいずれか一つに記載の方法。
【図面の簡単な説明】
【０００５】
【図１】例示的な揮発性組成物ディスペンサの前面斜視図である。
【図２】揮発性組成物ディスペンサの内部構成要素を見るために揮発性組成物ディスペンサのハウジングが半透明として示されている、例示的な揮発性組成物ディスペンサの背面斜視図である。
【図３】例示的な揮発性組成物ディスペンサのカートリッジ、空気ポンプ、蒸発部材、及びヒータの斜視図である。
【図４】例示的な揮発性組成物ディスペンサのカートリッジ、空気ポンプ、蒸発部材、及びヒータの側面立面図である。
【図５】例示的な揮発性組成物ディスペンサのカートリッジ、空気ポンプ、蒸発部材、及びヒータの側面立面図である。
【図６】例示的な揮発性組成物ディスペンサのカートリッジ、空気ポンプ、蒸発部材、及びヒータの斜視図である。
【図７】例示的な揮発性組成物ディスペンサの例示的なカートリッジ、蒸発部材、及びヒータの断面図である。
【発明を実施するための形態】
【０００６】
本開示は、リザーバと、輸送部材と、空気ポンプと、蒸発性表面を有する蒸発要素と、を有する揮発性組成物ディスペンサを提供する。この空気ポンプは、リザーバから輸送部材を介して蒸発性表面への揮発性組成物の適用量を、連続的又は断続的に送達するように構成される。
【０００７】
この空気ポンプは、空気のみに接触し、揮発性組成物には接触しないように構成される。その結果、空気ポンプは腐食する可能性が低くなり、したがって、比較的長い寿命を有し得る。
【０００８】
更に、この空気ポンプは、経時的に揮発性組成物の適用量を蒸発性表面に送達するので、蒸発した揮発性組成物の強度及び特性は、経時的に実質的に均一なままであり得る。この蒸発流量は、経時的に実質的に一定の速度で維持され得る。
【０００９】
この揮発性組成物ディスペンサは、蒸発性表面からの揮発性組成物の蒸発を補助するためのヒータを含んでもよい。
【００１０】
この揮発性組成物は、蒸発した揮発性組成物の室内全体への分散を補助するファンを含んでもよい。
【００１１】
この揮発性組成物は、様々な材料を含み得る。例えば、この揮発性組成物は、１つ又は複数の香料原材料、希釈剤、溶媒、水性キャリアなどを含んでもよい。この揮発性組成物は、揮発性組成物の総重量に対して、少なくとも３０重量％、あるいは少なくとも４０重量％、あるいは少なくとも５０重量％、あるいは少なくとも６０重量％、あるいは少なくとも７５重量％の香料原材料を含んでもよい。この揮発性組成物は、香料に加えて、又は香料の代替として、悪臭中和剤、防虫剤などを含んでもよい。
【００１２】
図１〜図４を参照して、揮発性組成物ディスペンサ１０は、ハウジング１２と、カートリッジ１４と、カートリッジ１４に流体連通している輸送部材１６と、輸送部材１６に流体連通している外側表面２０（本明細書において「蒸発性表面」２０と呼ばれる）を有する蒸発部材１８と、を含み得る。揮発性組成物ディスペンサ１０は、カートリッジ１４と気体連通している空気ポンプ２２を含む。図１の揮発性組成物ディスペンサ１０は、電気コンセントプラグの形態の電源２８を有する。以下でより詳細に説明されるように、この空気ポンプはカートリッジを加圧し、その中に収容された揮発性組成物が輸送部材を通って蒸発性表面へと流れ、ここで揮発性組成物が空気中に蒸発する。
【００１３】
揮発性組成物ディスペンサ１０は更に、図１〜図４に示されるようなヒータ２４及びファン２６を含んでもよい。
【００１４】
ハウジング１２は、揮発性組成物ディスペンサ１０の要素の多く又は全てを収容するように構成されてもよい。ハウジング１２は、単一要素からなっていてよく、又は、一緒に接合されて内側チャンバ３０を画定する複数の要素からなっていてもよい。ハウジング１２は、任意の形状をとることができ、プラスチック、金属、樹脂などの様々な材料から構成されてもよい。
【００１５】
図２〜図４を参照すると、カートリッジ１４は、揮発性組成物４４を収容するように構成される。カートリッジ１４は、リザーバ３２と、リザーバ３２を封入するためのキャップ３４とを含み得る。リザーバ３２は、底部３６と、少なくとも１つの側壁３８とを含み得る。カートリッジ１４は、内部４０及び外部４２を画定する。カートリッジ１４の内部４０は、カートリッジ１４の外部４２から封止されて、揮発性組成物４４がカートリッジ１４から漏出するのを防ぎ、かつ、カートリッジ１４内の空気圧の生成を可能にして、これにより揮発性組成物４４を蒸発性表面２０上に分注させる。カートリッジ１４は、空気ポンプ２２に気体連通している空気入口４６を含む。カートリッジ１４は更に、揮発性組成物出口４８を含み、ここで揮発性組成物４４は、輸送部材１６を通ってカートリッジ１４から蒸発性表面２０に方向付けられる。空気入口４６及び／又は組成物出口４８は、例えば図２及び図３に示されるように、カートリッジ１４のキャップ３４内に配置されてもよいが、これは要件ではない。
【００１６】
カートリッジ１４は、ハウジング１２に解除自在に連結可能であってもよく、又は、ハウジング１２に恒久的に連結されてもよい。ハウジング１２は、カートリッジ１４が空になった時点でカートリッジ１４を交換するように構成されてもよい。カートリッジ１４は様々な方法でハウジング１２に連結することができる。例えば、カートリッジ１４のキャップ３４はハウジング１２に解除自在に連結可能であってもよい。カートリッジ１４は、ハウジング１２に摺動可能又は回転可能に連結可能であってもよく、又はバネ仕掛けであってもよい。
【００１７】
カートリッジ１４は、プラスチック、ガラス、金属、複合材料など、及びこれらの組み合わせを含む様々な材料から構成されてもよい。カートリッジ１４のリザーバ３２及びキャップ３４は、１つの要素として構成されてもよく、又は一緒に接合及び封止される別個の要素として構成されてもよい。キャップ３４及びリザーバ３２は、同じ材料で構成されてもよく、又は異なる材料で構成されてもよい。キャップ３４及び／又はリザーバ３２は、透明、半透明、又は不透明であってもよい。図２及び図３に示されるカートリッジ１４は実質的に円筒形であるが、カートリッジ１４は、立方体若しくは卵形、又は任意の固有の形状などの、様々な異なる共通形状を取り得ることが理解されよう。リザーバ３２及びキャップ３４は、一体形成されてもよく、又は一緒に接合される別個の構成要素であってもよい。
【００１８】
図３及び図４を参照すると、輸送部材１６は、カートリッジ１４内に収容された揮発性組成物４４を蒸発性表面２０に送達するために、カートリッジ１４に流体連通している。輸送部材１６は、リザーバ３２内に収容された揮発性組成物の実質的に全てを分注するために、リザーバ３２の底部３６と流体連通していてもよい。輸送部材１６は、第１の端部５２、第２の端部５４、及び、第１の端部５２と第２の端部５４とを隔てる中央部５６により画定され得る。輸送部材１６の第１の端部５２は、カートリッジ１４内に配置されてもよく、揮発性組成物４４と流体連通していてもよい。輸送部材１６の少なくとも一部は、カートリッジ１４の内部４０内に配置される。輸送部材１６の一部は、外部４２からカートリッジ１４まで延在してもよい。第１の端部５２は、リザーバ３２の底部３６に接触してもよい。輸送部材１６は、揮発性組成物４４をリザーバ３２から蒸発性表面２０へと方向付けるように構成され得る。
【００１９】
輸送部材１６は種々の方式で構成され得る。例えば、輸送部材は、図３及び図４に示されるような外壁５８及び中空内部６０を有するチューブとして構成されてもよい。このチューブは、毛細管の形態であってもよい。輸送部材１６は、プラスチック、ガラス、金属、ゴム、シリコーン、及びこれらの組み合わせを含む様々な材料で構成されてもよい。輸送部材はまた、非空気透過性外側ラップに包まれた多孔質又は半多孔質の芯で構成されてもよい。芯は、オーバーラップ（例えば、不織布シートオーバーラップ）を介して様々な形状に圧縮及び／若しくは成形されるか、又はＰＥ、ＨＤＰＥ、若しくは他のポリオレフィンなどの焼結プラスチックで作製される束ね繊維が挙げられるがこれらに限定されない、様々な材料及び構築方法で構成され得る。例えば、芯は、ポリエチレン又はポリエチレンブレンドなどのプラスチック材料から作製され得る。
【００２０】
図３及び図４を参照すると、輸送部材は、第２の端部に配置された流体制限部材６２を有するように構成され得る。流体制限部材は、例えば、単純なオリフィス又は多孔質部材を含んでもよい。蒸発部材は、多孔質材料を含む場合、流体制限部材としても機能し得る。輸送部材は、例えば、２ｍｍの内径を有するチューブであってもよい。流体制限部材は、例えば、０．５ｍｍの直径を有するオリフィスであってもよい。
【００２１】
上述したように、及び図３〜図４を参照して、揮発性組成物ディスペンサ１０は更に、蒸発性表面２０を有する蒸発部材１８を含んでもよい。揮発性組成物は蒸発性表面２０から空気中に蒸発する。蒸発性表面２０は、輸送部材１６の第２の端部５４に近接して配置され得る。輸送部材１６は、リザーバ３２から蒸発性表面２０に揮発性組成物４４を送達することができる。蒸発性表面２０は、様々な異なる形態をとることができる。
【００２２】
例えば、蒸発部材１８（例えば例示目的のみのために示される図３〜図４の蒸発部材１８など）は、多孔質、半多孔質、及び／又はスポンジ若しくは芯などの空気透過性基材として構成されてもよい。蒸発部材１８が多孔質、半多孔質又は空気透過性基材を含む場合、揮発性組成物４４は蒸発部材１８内に吸収されてから、蒸発性表面２０から空気中に揮発することができる。
【００２３】
図５を参照すると、蒸発部材１８は、金属、ガラス、プラスチック、及びこれらの組み合わせなどの材料から構成される、プレート、ボウル、皿などの実質的に非多孔質又は非空気透過性の基材であってもよい。図５に示すように、揮発性組成物は蒸発性表面２０の上に流れ落ちてもよい。蒸発部材１８が実質的に非多孔質又は非空気透過性基材を含む場合、揮発性組成物４４は、蒸発性表面２０上に分注されてもよく、また、揮発性組成物４４が空気中に揮発するまで蒸発要素１８内に吸収されずに蒸発性表面２０上に配置されていてもよい。見やすくするために、図５の揮発性組成物ディスペンサは、空気ポンプなしで示されている。
【００２４】
図６を参照すると、輸送部材１６及び蒸発性表面２０は、揮発性組成物が、ボウル又はプレートとして成形された周囲の蒸発性表面２０上に輸送部材１６から流れるように構成されてもよい。
【００２５】
図２及び図３は、蒸発部材１８がカートリッジ１４に固定的に又は解除自在に連結され得ることを示す。しかしながら、蒸発部材１８は、カートリッジ１４に連結されることなくカートリッジ１４に隣接して配置されてもよいことが理解されよう。
【００２６】
再び図２を参照すると、揮発性組成物ディスペンサ１０は、空気ポンプ２２を含む。空気ポンプ２２は、空気入口４６を介してリザーバ３２に気体連通している。空気ポンプ２２は、カートリッジ１４の内部４０内に空気をポンプ圧送してカートリッジ１４の内部４０を加圧するよう構成され、これによって揮発性組成物４４が輸送部材１６を通って蒸発性表面２０上へと流れる。空気ポンプ２２は、圧電、ダイアフラム、スクイレル、ラジアル、ピストンポンプなどの多くの異なる形態をとることができるが、これらに限定されない。空気ポンプはまた、二酸化炭素などの加圧ガスカートリッジの形態、又は燃料電池の形態であってもよい。空気ポンプ２２は、空気ポンプ２２をカートリッジ１４と連結するコネクタ５０を含んでもよい。空気ポンプ２２は空気をポンプ圧送するだけであり、揮発性組成物４４と接触しないため、空気ポンプ２２の腐食及び摩耗が制限される。例示的な空気ポンプとしては、例えば、ＤＣ空気ポンプ、又はＤＣミニ空気ポンプが挙げられ得る。
【００２７】
空気ポンプは、流体輸送部材によって生成された液柱に等しい圧力をリザーバに送達することができ、この圧力は、少なくとも約０．５キロパスカル（ｋＰａ）のオーダーであってよい。より好ましい一実施形態は、この最小圧力の倍数、例えば、リザーバの液柱の１０倍、又は５ｋＰａを送達する空気ポンプを有し得る。より高い圧力により、輸送部材を通る移動時間を最小限に抑え、したがって、蒸発性表面へのより一貫した適用量をもたらす。圧力は、蒸発性表面への流れの調節を困難にするほど高くすべきではない。
【００２８】
揮発性組成物ディスペンサは、図２〜図４に示されるようなヒータ２４を含んでもよい。ヒータ２４は、蒸発性表面２０からの揮発性組成物４４の蒸発を補助することができる。ヒータは、熱伝導、対流、又は誘導によって蒸発性表面を加熱してもよい。ヒータは、例えばチップ／表面実装抵抗器、貫通孔、又は印刷抵抗器などの抵抗器の形態であってもよい。ヒータは、抵抗器を有するヒータブロックの形態であってもよい。
【００２９】
ヒータ２４は、様々な場所及び様々な構成で配置され得る。ヒータは蒸発要素と一体であってもよく、又は蒸発要素から分離していてもよい。更に、ヒータは、蒸発性表面及び／又はヒータの構成に応じて、蒸発性表面に隣接して、又は蒸発性表面に接触して配置されてもよい。
【００３０】
ヒータ２４は、図７に示されるように、蒸発性表面２０を取り囲んでもよい。ヒータ２４は、図２〜図４に示されるように、蒸発性表面２０の上方に配置されてもよく、あるいは図５及び図６に示されるように、蒸発性表面２０の下方に配置されてもよい。ヒータ２４はまた、蒸発性表面２０の１つ又は複数の側面に配置されてもよい。ヒータ４は、蒸発性表面２０を部分的又は完全に取り囲むことができる。ヒータの温度は、所望の蒸発速度及び／又は特定の揮発性組成物に基づいて設定することができる。
【００３１】
ヒータは蒸発要素と一体であってもよい。例えば、蒸発要素は、電流源と電気的に連通している導電性材料で少なくとも部分的に構成されてもよい。蒸発要素の蒸発性表面又は別の部分は、炭素繊維紙を含んでもよく、この炭素繊維紙は、電流が導入されると加熱され得る。蒸発部材は更に、ホットプレートの形態であってもよい。
【００３２】
図１〜図２を参照すると、蒸発組成物ディスペンサ１０はファン２６を含み得る。ファン２６は、ある体積の空気を、ハウジング入口６２を通ってハウジング１２の内部チャンバ３０内へと動かし、蒸発性表面２０の周囲で動かし、更にハウジング出口６４を通ってハウジング１２から外へと動かすように構成されている。ハウジング１２を通る空気流は、蒸発した揮発性組成物を部屋全体又は部屋内の領域全体に分散させるのを補助する。この空気流は更に、蒸発性表面からの揮発性組成物の蒸発を補助することができる。ファン２６は、蒸発性表面２０に隣接して配置され得る。遠心（すなわち、径方向）ファン及び軸流ファンなど、様々な種類のファン２６が使用され得る。本開示に好適なファンとしては、Ｓｕｎｏｎ  Ｗｅａｌｔｈ  Ｅｌｅｃｔｒｉｃ  Ｍａｃｈｉｎｅ  Ｉｎｄｕｓｔｒｙ  Ｃｏ．，Ｌｔｄ  ｏｆ  Ｔａｉｗａｎにより供給されている３０×３０×６ｍｍ  ＭａｇＬｅｖモータファン（Ｍｏｄｅｌ  ＭＣ３００６０Ｖ１−０００Ｕ−Ａ９９）；及びＭａｂｕｃｈｉ  Ｍｏｔｏｒにより供給されているファンモデルＲＦ−３３０ＴＫ  ０７８００が挙げられる。本発明の別の好適なファンは、以下の仕様を有し得る。
寸法：１２０×１２０×２５ｍｍ
ファン速度：８００〜１５００ｒｐｍ±２５０ＲＰＭ
最大流量：６６．５５ＣＦＭ
最大空気圧：１．４２ｍｍ  Ｈ２Ｏ
ベアリングタイプ：スリーブ
動作電圧：５Ｖ
【００３３】
揮発性組成物ディスペンサは、電源２８を含む。電源２８は、空気ポンプ２２、ヒータ２４、及びファン２６（存在する場合）を含む揮発性組成物ディスペンサ１０の電気部品を作動させるために必要な電力を供給する。電源２８は、揮発性組成物ディスペンサをＡＣ／ＤＣコンセントに接続するためのプラグ及び／又はコード、電池（例えば単三電池、単四電池、９ボルト電池、充電式電池、及び／又は他の好適な電池）を含み得る。電源は、太陽電池などのソーラー電源であってもよく、例えばこれは、光を受け取り、それをエネルギーに変換して、揮発性組成物ディスペンサの構成要素に電力を供給することができる。図２は、例示目的のみのために、電源２８としてＡＣ／ＤＣプラグを有する例示的な揮発性組成物ディスペンサ１０を示す。しかしながら、揮発性組成物ディスペンサ１０は、電気構成要素を作動させるために必要な電力を供給する任意のタイプの電源２８で構成され得ることが理解されよう。
【００３４】
図２に示すように、揮発性組成物ディスペンサは更に、コントローラ６２を含む。コントローラ６２は、空気ポンプ２２、ヒータ２４、及びファン２６（揮発性組成物ディスペンサ１０内に存在する場合）などの電気構成要素を制御する。コントローラ６２は、例えば、マイクロコントローラ（「ＭＣＵ」）又は特定用途向け集積回路（「ＡＳＩＣ」）として構成され得る。コントローラ６２は、イベント及びタイミングのシーケンスを含む、揮発性組成物ディスペンサの機能を送達する役割を担っている。例示的なコントローラ６２には、Ｔｅｘａｓ  Ｉｎｓｔｒｕｍｅｎｔｓ  ＭＳＰ４３０Ｆ２１３２コントローラが挙げられる。
【００３５】
図７は、例示的な揮発性組成物ディスペンサ１０の一部の断面図を示す。図７に示すように、蒸発部材１８は、多孔質又は半多孔質基材の形態であってもよい。ヒータ２４は、蒸発性表面２０を部分的に又は完全に取り囲むように構成されてもよい。
【００３６】
揮発性組成物ディスペンサは、１つ又は複数のユーザ入力ボタン又はスイッチを含んでもよく、これはユーザによって作動されたときにコントローラに入力信号を提供するように構成されており、それにより、コントローラは、対応する出力信号を電気構成要素に送信することができる。例示的な入力ボタン又はスイッチには、揮発性組成物ディスペンサの電源をオン又はオフにするように構成された電源オン／オフスイッチ、ユーザが揮発性組成物ディスペンサによって分注される揮発性組成物の量を調整することを可能にするように構成された強度ボタン又はダイヤルが挙げられる。理解されるように、入力ボタン又はスイッチは、例えば押しボタン、スライダ、ダイヤル、ノブのようなボタン及び／又はスイッチの任意の組み合わせであってよい。
【００３７】
揮発性組成物ディスペンサは、揮発性組成物ディスペンサの状態に関してユーザにフィードバックを提供するように構成された、可視インジケータ、光源、及び／又は警報音などのセンサを備え得る。このセンサを使用して、揮発性組成物ディスペンサの特性をユーザに警告することができる。そのフィードバックは可視及び／又は可聴のものであってもよく、特に、揮発性組成物ディスペンサの電源がオンであるかどうか、分注されている揮発性組成物の適用量、電源の電力レベル、リザーバ内の揮発性組成物の量、タイプ、若しくはレベル、及び／又はユーザにとって有用又は有益な任意の他の好適なフィードバックをユーザに示すことができる。温度センサ、運動センサ、及び／又は空気品質センサなどの様々な他のセンサが使用されてもよい。
【００３８】
存在する場合、このセンサは、コントローラ及び／又は電源に電気的に連結された例えば複数の光源のような１つ又は複数のインジケータ、並びにハウジング内の半透明の部分を備えてよく、その結果、ユーザは、ハウジングを通して１つ又は複数のインジケータを見ることができる。存在する場合、この１つ又は複数のインジケータは、どのようなタイプのフィードバックがユーザに提供されるかに応じて、１つ又は複数のインジケータの様々な光がハウジングの半透明の部分を通して可視光を発することができるように、任意の好適なやり方で方向付けられてよい。ハウジングの半透明の部分は、任意の好適な形を有することができ、１つ又は複数のインジケータを同様の形に構成して、例えば光源などの１つのインジケータへの電気が供給又は遮断されると、ユーザに第１のフィードバックが提供され、２つ以上の光源への電気が給電又は遮断されると、ユーザに少なくとも第２のフィードバックが提供され、以下同様にフィードバックが提供されるようにしてもよい。任意のボタン又はスイッチは更に、１つ又は複数のインジケータがボタンを通して見えるように少なくとも部分的に半透明であり得る。
【００３９】
リザーバの全寿命の指標として蓄電池の電圧又はランタイムを見る場合、リザーバが空であること及び／又はカートリッジが交換を必要とすることを示すために、赤色光の点灯などの信号をユーザに提供する又は点滅光を提供するようにコントローラをプログラムすることができる。
【００４０】
本開示はまた、揮発性組成物を空気中に蒸発させる方法を含む。図１〜図４を参照すると、この方法は、リザーバ３２を有する揮発性組成物ディスペンサ１０と、蒸発性表面２０を有する蒸発要素１８とを提供する工程を含み得る。この方法は、空気ポンプ２２を使用してリザーバ３２を加圧して、揮発性組成物４４をリザーバ３２から蒸発性表面２０に方向付ける工程を含む。揮発性組成物４４は、リザーバ３２から蒸発性表面２０へと輸送部材１６を通って流れることができ、この輸送部材は、一方の端部でリザーバ３２に流体連通し、反対側の端部で蒸発性表面２０に流体連通している。この方法は更に、揮発性組成物４４を蒸発性表面２０から蒸発させる工程を含む。ヒータ２４は、蒸発性表面からの揮発性組成物４４の蒸発を補助するために使用され得る。揮発性組成物を蒸発させる方法は更に、ファン２６を作動させて、蒸発性表面２０の上又は周囲の、ある体積の空気を方向付けることを含み得る。
【００４１】
揮発性組成物４４は、所望の強度、部屋の大きさなどに応じて、様々な蒸発速度で蒸発性表面２０から蒸発し得る。
【００４２】
空気ポンプ２２は、リザーバ３２から蒸発性表面２０に揮発性組成物４４を断続的又は連続的に送達するように構成され得る。リザーバ３２から蒸発性表面２０への揮発性組成物４４の流量は、特定の期間にわたる所望の強度又は気付きやすさに基づいて、及び／又は部屋の大きさに基づいて、選択することができる。例えば、空気ポンプは、何分かおきに１回ずつ、蒸発性表面に１回適用量の揮発性組成物をポンプ圧送してもよく、又は一定期間にわたってある量の揮発性組成物を蒸発性表面に連続的に送達してもよい。
【００４３】
揮発性組成物ディスペンサはまた、オーバーフロードレーンを含んでもよく、これにより、空気ポンプによって蒸発性表面に一度に過剰に流体が適用された場合、一部の流体がリザーバ内に逆流することが可能になる。一方向弁を使用して、空気がカートリッジから漏れるのを防止することができ、かつ／又は、カートリッジが傾けられた場合に揮発性組成物がリザーバから流出するのを防ぐことができる。
【００４４】
存在する場合、ヒータ２４は、連続的又は断続的に動作するように構成され得る。ヒータ２４は、揮発性組成物４４の適用量が蒸発性表面２０に送達された後にオンになるように構成され得る。例えば、空気ポンプ２２は、１秒などの一定時間起動されてもよく、その後、ヒータ２４は、蒸発性表面２０から揮発性組成物４４の適用量を蒸発させるために一定時間オンにすることができる。断続的に動作する場合、ヒータ２４は、１分間〜２０分間、あるいは約５分間〜約１５分間、あるいは約１０分間の範囲の時間にわたってオンにされ得る。
【００４５】
存在する場合、ファン２６は、連続的又は断続的に動作するように構成され得る。ファン２６は、ヒータ２４がオンにされている間に回転されてもよく、これによって、揮発性組成物４４が蒸発している間に、ファン２６は蒸発した揮発性組成物を揮発性組成物ディスペンサ１０から空気中へと方向付ける。ファンからの空気流量は、部屋の大きさ、所望の強度などに応じて、任意の所望の流量であってもよい。例えば、ファン２６は、ハウジング１２の内部チャンバ３０を通る空気流量を、１時間当たり約３．５ｍ３の範囲で生成することができる。ファン２６の起動持続時間又はファン２６が提供する空気体積の流量を調節して、揮発性組成物ディスペンサ１０からの揮発性組成物の蒸発及び／又は分散を、より高い強度又はより低い強度で提供することができる。ファン２６は、約５％〜約５０％の負荷サイクル、又は約８％〜約２０％の負荷サイクルでオンオフを切り替えることができる。
【００４６】
蒸発性表面２０から揮発性組成物４４を蒸発させるのに必要な時間に実質的に等しい期間にわたってファン２６及び／又はヒータ２４を断続的に動作させることによって、電力を節約することができ、及び／又は電池などの電源２８の寿命を延ばすことができる。加えて、空気ポンプ２２、ヒータ２４及び／又はファン２６を断続的に動作させることで、揮発性組成物の蒸発速度を制御することもできる。
【００４７】
揮発性組成物ディスペンサは、Ｗｉ−Ｆｉ又はアドホックのワイヤレスメッシュネットワークを介して、通信ネットワークと接続可能であってもよい。例えば、通信ネットワークは、揮発性組成物ディスペンサをオン又はオフにするか、又は流量、ファン速度、又はヒータを調整することを含む、揮発性組成物ディスペンサの遠隔制御を行うために使用され得る。通信ネットワークを使用することにより更に、他の電気器具、照明、ＨＶＡＣ装置などの使用と、揮発性組成物ディスペンサの使用とをリンクさせることもできる。
【００４８】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味することが意図される。例えば「４０ｍｍ」として開示される寸法は、「約４０ｍｍ」を意味するものとする。
【００４９】
本明細書全体を通して記載される全ての最大数値限定は、それよりも低い全ての数値限定を、かかるより低い数値限定があたかも本明細書に明確に記載されているかのように包含することを理解すべきである。本明細書全体を通して与えられる全ての最小数値限定は、それよりも高い全ての数値限定を、かかるより高い数値限定があたかも本明細書に明示的に記載されているかのように含むことになる。本明細書全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００５０】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００５１】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019534085.tif 000002
【図２】
2019534085.tif 000003
【図３】
2019534085.tif 000004
【図４】
2019534085.tif 000005
【図５】
2019534085.tif 000006
【図６】
2019534085.tif 000007
【図７】
2019534085.tif 000008
【国際調査報告】
2019534085.tif 000009
2019534085.tif 000010